(57)【要約】【課題】十分な可撓性を備え、成形が容易で、製造コストの低減を図る。【解決手段】可撓性を有する扉を、細長い板片１１と、板片１１を並列に複数枚並べた状態で各板片１１を支持する可撓性シート１２と、個々の板片１１と可撓性シート１２とが重ねられた状態でそれらを互いに固定する固定手段１３とから構成した。可撓性シート１２は、扉全体を覆う広さに成形した。板片１１は、肉厚の短冊状部材で構成した。固定手段１３は、板片１１及び可撓性シート１２側に形成されてそれらを固定する固定部１８と、固定部１８の反対側に設けられて相手側のレール溝に摺動可能に嵌合する摺動部１９とから構成した。摺動部１９は楕円状に形成した。固定部１８は、位置決め板２１と、挟持板２２，２３と、係止爪２４とから構成した。【選択図】    図１
2005016131.tif 000002
【特許請求の範囲】
【請求項１】
スライドさせて開口部を開閉する可撓性を有する扉において、
細長い板片と、
当該板片を並列に複数枚並べた状態で各板片を支持する可撓性シートと、
上記個々の板片と上記可撓性シートとが重ねられた状態でそれらを互いに固定する固定手段とから構成されたことを特徴とする可撓性を有する扉。
【請求項２】
請求項１に記載の可撓性を有する扉において、
上記可撓性シートが、扉全体を覆う広さに成形されたことを特徴とする可撓性を有する扉。
【請求項３】
請求項１に記載の可撓性を有する扉において、
上記可撓性シートが、並列に複数枚並べられた板片の少なくとも両端部を個別に覆うように帯状に成形されたことを特徴とする可撓性を有する扉。
【請求項４】
請求項１又は３のいずれか１項に記載の可撓性を有する扉において、
上記板片が、肉厚の短冊状部材によって構成されたことを特徴とする可撓性を有する扉。
【請求項５】
請求項１ないし４のいずれか１項に記載の可撓性を有する扉において、
上記固定手段が、上記板片及び可撓性シート側に形成されてそれらを固定する固定部と、当該固定部の反対側に設けられて相手側のレール溝に摺動可能に嵌合する摺動部とから構成されたことを特徴とする可撓性を有する扉。
【請求項６】
請求項５に記載の可撓性を有する扉において、
上記摺動部が、その平面形状を楕円状に形成されたことを特徴とする可撓性を有する扉。
【請求項７】
請求項５又は６に記載の可撓性を有する扉において、
上記板片の両端部に嵌合溝が設けられると共に、上記可撓性シートのうち上記板片が支持された状態で上記嵌合溝に整合する位置にスリットが設けられ、
上記固定部が、上記板片の嵌合溝と上記可撓性シートのスリットとが互いに整合した状態でこれらに嵌合して板片を可撓性シートに位置決めする位置決め板と、
当該位置決め板が上記嵌合溝及びスリットに嵌合した状態で上記可撓性シート及び板片を両側から挟み持つ２枚の挟持板と、
当該挟持板の一方又は両方に設けられ上記板片又は可撓性シートの一方又は両方側の被嵌合部に嵌合する嵌合部とを備えたことを特徴とする可撓性を有する扉。
【発明の詳細な説明】
【０００１】
【発明の属する技術分野】
この発明は、ホームロッカーの前面開口部等を塞ぐ開閉扉として使用される可撓性を有する扉に関するものである。
【０００２】
【従来の技術】
ホームロッカーの前面開口部等を塞ぐ開閉扉としては種々のものが用いられるが、スライドさせて開閉するものとしては通常シャッターが用いられる。このシャッタは通常可撓性のある合成樹脂で形成される。具体的には、複数枚並列に配設された短冊状の肉厚部と、各肉厚部の間に設けられ各肉厚部を回動可能に連結してヒンジとして機能する肉薄部とから構成される。
【０００３】
【特許文献１】
特開平８−２８１３１号公報
【０００４】
【発明が解決しようとする課題】
しかしながら、上記構成のシャッタの場合、肉厚部と肉薄部とが一体成形されるため、撓ませる際に多少硬くなってしまう。十分な強度を持たせるために、ある程度の厚みを持たせる必要がある。このため、ホームロッカー等の側部の回り込んだ部分でシャッタが撓みながら通過する際に、スライドさせるのが多少重くなってしまうという問題点がある。
【０００５】
また、シャッタを合成樹脂で一体成形する場合は、金型が必要になり、この金型の分のコストが嵩んでしまう。
【０００６】
本発明は、上述の点に鑑みてなされたもので、十分な可撓性を備えると共に、成形が容易で、製造コストも低減できる可撓性を有する扉を提供することを目的とする。
【０００７】
【課題を解決するための手段】
前述した課題を解決するために第１の発明に係る可撓性を有する扉は、スライドさせて開口部を開閉する可撓性を有する扉において、細長い板片と、当該板片を並列に複数枚並べた状態で各板片を支持する可撓性シートと、上記個々の板片と上記可撓性シートとが重ねられた状態でそれらを互いに固定する固定手段とから構成されたことを特徴とする。
【０００８】
上記構成により、細長い板片を並列に複数枚並べた状態で、各板片と可撓性シートとを固定手段で互いに固定することで、シャッターと同じ機能を持たせることができる。さらに、可撓性を有する扉を撓ませる機能は可撓性シートに持たせているので、この可撓性シートの柔らかさを調整することで、可撓性を有する扉の柔軟さを調整することができる。また、板片と可撓性シートとを固定手段で互いに固定することで可撓性を有する扉を成形できるため、可撓性を有する扉の成形が容易になり、製造コストも低減することができる。
【０００９】
上記可撓性シートは、扉全体を覆う広さに成形することができる。
【００１０】
これにより、各板片をその全面から支持するため、十分な可撓性を持たせることができると共に、十分な強度を持たせることができる。
【００１１】
上記可撓性シートは、並列に複数枚並べられた板片の少なくとも両端部を個別に覆うように帯状に成形してもよい。
【００１２】
これにより、帯状の可撓性シートで、各板片の少なくとも両端部を支持して可撓性を有する扉を構成することができる。この場合、要求される可撓性及び強度に応じて、帯状の可撓性シートの幅や本数を設定する。
【００１３】
上記板片は、肉厚の短冊状部材によって構成してもよい。
【００１４】
この場合、十分な可撓性を備えた肉厚の扉を構成することができる。なお、板片の具体的な肉厚や材料等は、用途に応じて適宜変更することができる。
【００１５】
上記固定手段は、上記板片及び可撓性シート側に形成されてそれらを固定する固定部と、当該固定部の反対側に設けられて相手側のレール溝に摺動可能に嵌合する摺動部とから構成される。
【００１６】
これにより、固定部が板片と可撓性シートとを互いに固定し、摺動部がホームロッカー等のレール溝に摺動可能に嵌合する。これにより、固定手段は、板片と可撓性シートとを支持して、扉をスムーズにスライドさせる。
【００１７】
上記摺動部は、その平面形状を楕円状に形成することができる。
【００１８】
これにより、摺動部がレール溝に挿入されたときに、スムーズにスライドさせることができる。
【００１９】
上記固定部は、上記板片の嵌合溝と上記可撓性シートのスリットとが互いに整合した状態でこれらに嵌合して板片を可撓性シートに位置決めする位置決め板と、当該位置決め板が上記嵌合溝及びスリットに嵌合した状態で上記可撓性シート及び板片を両側から挟み持つ２枚の挟持板と、当該挟持板の一方又は両方に設けられ上記板片又は可撓性シートの一方又は両方側の被嵌合部に嵌合する嵌合部とから構成することが望ましい。
【００２０】
これにより、位置決め板は、板片の嵌合溝と可撓性シートのスリットとが互いに整合した状態でこれらに嵌合して板片を可撓性シートに位置決めする。挟持板は、位置決め板が嵌合溝及びスリットに嵌合した状態で可撓性シート及び板片を両側から挟み持つ。この状態で、嵌合部が板片又は可撓性シートの被嵌合部に嵌合して、板片と可撓性シートとを互いにずれないように確実に支持する。
【００２１】
【発明の実施の形態】
以下、本発明に係る可撓性を有する扉について図面を参照しながら説明する。なお、ここでは、可撓性を有する扉をホームロッカーに使用する場合を例に説明する。図１は本実施形態に係る可撓性を有する扉を示す斜視図、図２は本実施形態に係るホームロッカーを示す斜視図、図３は本実施形態に係るホームロッカーを示す分解斜視図、図４は本実施形態に係る固定手段を示す斜視図、図５は本実施形態に係る固定手段を示す正面図、図６は本実施形態に係る固定手段を示す側面図、図７は本実施形態に係る固定手段を示す背面図、図８は本実施形態に係る固定手段を示す底面図、図９は本実施形態に係る固定手段を示す平面図、図１０は本実施形態に係る固定手段を示す側面断面図、図１１は本実施形態に係る固定手段を示す正面断面図、図１２は図１０の固定手段を他の位置で示す側面断面図である。
【００２２】
ホームロッカー１は、図２，３に示すように主に、底板２と、両側板３と、背面板４と、天板５と、可撓性を有する扉６とから構成されている。
【００２３】
底板２は、ホームロッカー１の底部を仕切る板材である。底板２はほぼ四角形状に形成されている。底板２は、四角形の枠部２Ａと、この枠部２Ａの全面に取り付けられた多数の板片２Ｂとから構成されている。底板２の前面両側の角部は面取りが施されている。底板２の前面部及び両側部には、平面形状がほぼコ字状に配設されたレール溝２Ｃが設けられている。このレール溝２Ｃは、断面四角形状（例えば、幅１０ｍｍ、深さ１０ｍｍ）に形成されている。２つの角部では、面取りされている部分でなだらかな円弧を描くように形成されている。底板２の両側部の上面には、後述する両側板３の位置決め用突起３Ｃが嵌合する嵌合穴２Ｄが対応位置に２つずつ設けられている。底板２の背面部には、後述する背面板４の位置決め用突起４Ｃが嵌合する嵌合穴（図示せず）が対応位置に設けられている。底板２、両側板３及び背面板４は、各嵌合穴２Ｄと位置決め用突起３Ｃ，４Ｃとが嵌合した状態でねじ８によって固定される。
【００２４】
両側板３は、ホームロッカー１の両側を仕切る板材である。両側板３はほぼ四角形状に形成されている。両側板３は、四角形の枠部３Ａと、この枠部３Ａの全面に取り付けられた多数の板片３Ｂとから構成されている。両側板３の下端部には、上記底板２の嵌合穴２Ｄに嵌合する位置決め用突起３Ｃが２つ設けられている。両側板３の上端部には、後述する天板５の嵌合穴に嵌合する位置決め用突起３Ｄが設けられている。これらの位置決め用突起３Ｃ，３Ｄが底板２及び天板５の各嵌合穴に嵌合することで、底板２と両側板３と天板５とが互いに位置決めされるようになっている。両側板３の取り付け位置は、底板２及び天板５の左右両側端部ではなく、少し内側へずらした位置になっている。これは、両側板３の外側に可撓性を有する扉６が位置するためである。このため、底板２のレール溝２Ｃのうち両側に位置する部分は、両側板３の外側に設けられている。
【００２５】
背面板４は、ホームロッカー１の背面を仕切る板材である。背面板４はほぼ四角形状に形成されている。背面板４は、四角形の枠部４Ａと、この枠部４Ａの全面に取り付けられた多数の板片４Ｂとから構成されている。背面板４の下端部には、上記底板２の嵌合穴に嵌合する位置決め用突起４Ｃが２つ設けられている。背面板４の上端部には、後述する天板５の嵌合穴に嵌合する位置決め用突起４Ｄが２つ設けられている。これらの位置決め用突起４Ｃ，４Ｄが底板２及び天板５の各嵌合穴に嵌合することで、底板２と背面板４と天板５とが互いに位置決めされるようになっている。また、背面板４と両側板３とは、ねじ８によって固定される。
【００２６】
天板５は、ホームロッカー１の天井面を仕切る板材である。天板５は、底板２と同様にほぼ四角形状に形成されている。天板５は、枠部５Ａと、傾斜板５Ｂとから構成されている。枠部５Ａはほぼコ字状に形成され、両側板３の上端に取り付けられてこれらを支持している。傾斜板５Ｂは、枠部５Ａと一体的に設けられてその全面を覆う屋根部材である。傾斜板５Ｂは、枠部５Ａに支持された状態で、背面側へ向けて下がる傾斜が設けられている。この傾斜は、雨水等の水はけのためである。天板５の下側面には、両側板３の位置決め用突起３Ｄ及び背面板４の位置決め用突起４Ｄに嵌合する嵌合穴（図示せず）が設けられている。さらに、天板５の下側面には、上記レール溝２Ｃと同様のレール溝（図示せず）が設けられている。
【００２７】
上記底板２、両側板３、背面板４及び天板５は、木材やプラスチック等の種々の材料を使用して構成することができる。
【００２８】
可撓性を有する扉６は、ホームロッカー１の前面開口部を開閉するための開閉扉である。この扉６は、図１に示すように、板片１１と、可撓性シート１２と、固定手段１３とから構成されている。
【００２９】
板片１１は細長い短冊状に形成されている。板片１１は、木材、合成板材、金属等の種々の材料が使用できる。質感を出すために石材、特に肉厚の石材等を用いてもよい。各種の材料を用いて、任意の厚さに設定できる。板片１１の材料や厚さ等は、デザインや用途等に応じて適宜設定する。板片１１の上下端部には、嵌合溝１５が設けられている。この嵌合溝１５は、後述する固定手段１３の位置決め板２１が嵌合するための溝である。嵌合溝１５の両側には、嵌合凹部（図示せず）が設けられている。この嵌合凹部は、後述する固定手段１３の係止爪２４が嵌合して板片１１及び可撓性シート１２を固定すると共に固定手段１３が抜け落ちないようにするための被嵌合部である。嵌合凹部は、係止爪２４とほぼ同じ大きさに設定されている。これにより、係止爪２４が嵌合凹部に嵌合することで、板片１１と可撓性シート１２とが互いにずれないように確実に支持することができるようになっている。
【００３０】
可撓性シート１２は、板片１１を並列に複数枚並べた状態で各板片を支持するためのシートである。可撓性シート１２は、扉６全体を覆う広さに成形されている。可撓性シート１２の材料としては、種々のものを用いることができる。例えば、ポリエチレン等のプラスチック、布、可撓性を有する金属や木材等を用いることができる。可撓性シート１２のうち板片１１が支持された状態で嵌合溝１５に整合する位置にはスリット１６が設けられている。このスリット１６は、固定手段１３の位置決め板２１が嵌合するためのものである。スリット１６は、嵌合溝１５と同じ形状に形成され、位置決め板２１が嵌合溝１５とスリット１６とに嵌合することで、板片１１が可撓性シート１２に対して位置決めされるようになっている。スリット１６の両側にはシート側嵌合穴１７が設けられている。このシート側嵌合穴１７は、固定手段１３の係止爪２４が嵌合して可撓性シート１２を固定すると共に固定手段１３が抜け落ちないようにするための被嵌合部である。シート側嵌合穴１７は、係止爪２４とほぼ同じ大きさに設定されている。これにより、係止爪２４がシート側嵌合穴１７に嵌合することで、可撓性シート１２をずれないように確実に支持することができるようになっている。
【００３１】
固定手段１３は、個々の板片１１と可撓性シート１２とが重ねられた状態でそれらを互いに固定するための部材である。この固定手段１３は、図４〜１２に示すように、板片１１及び可撓性シート１２側に形成されてそれらを固定する固定部１８と、固定部１８の反対側に設けられて底板２及び天板５のレール溝２Ｃに摺動可能に嵌合する摺動部１９とから構成されている。
【００３２】
固定部１８は、位置決め板２１と、挟持板２２，２３と、係止爪２４とから構成されている。
【００３３】
位置決め板２１は、板片１１の嵌合溝１５と可撓性シート１２のスリット１６とが互いに整合した状態でこれらに嵌合することで、板片１１を可撓性シート１２に位置決めするための部材である。位置決め板２１は、２枚の挟持板２２，２３の間に掛け渡して設けられ、嵌合溝１５及びスリット１６に整合する厚さ及び高さに設定されている。
【００３４】
挟持板２２，２３は、位置決め板２１が嵌合溝１５及びスリット１６に嵌合した状態で、板片１１及び可撓性シート１２を両側から挟み持つための部材である。２枚の挟持板２２，２３は水平底板２５で互いに連結されている。２枚の挟持板２２，２３の間隔（水平底板２５の寸法）は、板片１１及び可撓性シート１２の厚さに応じて適宜設定される。具体的には、板片１１及び可撓性シート１２を互いに重ね合わせた厚さよりも少し狭い間隔で２枚の挟持板２２，２３が配設され、板片１１及び可撓性シート１２を確実に挟み持つことができるようになっている。一方の挟持板２３には、その中央部分に切り欠き２６が設けられている。この切り欠き２６は、挟持板２３と位置決め板２１との連結をなくして、係止爪２４の嵌合時に挟持板２３が撓み得るようにするためである。水平底板２５には、水抜き穴２８が設けられている。
【００３５】
係止爪２４は、板片１１の嵌合凹部及び可撓性シート１２のシート側嵌合穴１７に嵌合する嵌合部である。係止爪２４は挟持板２３の内側に設けられている。この係止爪２４が嵌合凹部及びシート側嵌合穴１７にそれぞれ嵌合することで、板片１１及び可撓性シート１２を互いにずれないように確実に支持することができるようになっている。
【００３６】
摺動部１９は、水平底板２５の下側面に一体的に設けられている。摺動部１９は、その平面形状を楕円状に形成され、底板２及び天板５のレール溝２Ｃに嵌合した状態でスムーズに摺動できるようになっている。
【００３７】
固定手段１３は、摩擦係数の小さいプラスチックで形成され、摺動部１９及び水平底板２５が底板２及び天板５のレール溝２Ｃに接触してもスムーズにスライドできるようになっている。
【００３８】
扉６を構成する複数の板片１１のうち、一方の端部に位置する板片１１には取っ手２７が設けられている。この取っ手２７は、扉６をスライドさせるときに掴む部分である。
【００３９】
［動作］
以上のように構成されたホームロッカー１は、次のようにして組み立てる。
【００４０】
まず、扉６は次のようにして組み立てる。可撓性シート１２上に複数の板片１１を並列に並べる。このとき、板片１１の嵌合溝１５と可撓性シート１２のスリット１６とが互いに整合するように合わせる。次いで、固定手段１３を取り付ける。固定手段１３の各挟持板２２，２３が、板片１１及び可撓性シート１２を挟み持つように取り付ける。このとき、位置決め板２１は嵌合溝１５とスリット１６に嵌合され、この状態で押し込む。最後まで押し込むと、係止爪２４が嵌合凹部及びシート側嵌合穴１７に嵌合して、板片１１と可撓性シート１２とを固定すると共に、固定手段１３自身が板片１１及び可撓性シート１２に固定される。可撓性シート１２の左右両端の中央部は、ねじ８で板片１１に固定する。
【００４１】
次いで、底板２に両側板３及び背面板４を嵌合させてねじ８で固定し、両側板３及び背面板４もねじ８で固定する。次いで、扉６の固定手段１３の摺動部１９を底板２のレール溝２Ｃに嵌合する。
【００４２】
次いで、天板５の嵌合穴を両側板３及び背面板４の位置決め用突起３Ｄ，４Ｄに嵌合させ、レール溝を扉６の固定手段１３の摺動部１９に嵌合する。次いで、ねじ８で天板５を両側板３及び背面板４に固定する。
【００４３】
扉６を開閉するときは、取っ手２７を掴んで左右へスライドさせる。これにより、下側の固定手段１３は、その水平底板２５がレール溝２Ｃの上面に接触して扉６をスライド自在に支持する。さらに、固定手段１３の摺動部１９がレール溝２Ｃの内面に接触して扉６を案内し、レール溝に沿って扉６を移動させる。
【００４４】
天板５側では、固定手段１３の摺動部１９がレール溝の内面に接触して扉６を案内し、レール溝に沿って扉６を移動させる。
【００４５】
これにより、扉６を軽い力でスムーズにスライドさせて開閉させることができる。
【００４６】
［効果］
以上により、扉６に十分な可撓性を備えることができるようになる。
【００４７】
さらに、扉６は、板片１１と可撓性シート１２と固定手段１３とを組み合わせて構成するので、扉６の成形が容易にある。さらに、金型が不要になり、製造コストを低減することができる。
【００４８】
［変形例］
（１）  上記実施形態では、可撓性を有する扉をホームロッカーに用いた場合を例に説明したが、ホームロッカーに限らず、開口部を開閉するための扉として種々のものに用いることができる。この場合も、上記実施形態と同様の作用、効果を奏することができる。
【００４９】
（２）  上記実施形態では、可撓性シート１２を、扉６全体を覆うように成形したが、帯状に成形してもよい。例えば、並列に複数枚並べられた板片１１の両端部を個別に覆うように２つの帯状の可撓性シートを設け、この可撓性シートを固定手段１３で板片１１の両端部のみを支持するようにしてもよい。また、板片１１の両端部のみに限らず、その中間部分に１又は２以上の帯状の可撓性シートを設けるようにしてもよい。このとき、中間部分に設ける可撓性シートはねじ８で板片１１に固定される。この場合、帯状の可撓性シートの幅や本数は、要求される可撓性及び強度に応じて設定する。
【００５０】
（３）  上記実施形態では、固定手段１３側に係止爪２４、板片１１側に嵌合凹部を設けたが、これと逆に固定手段１３側に嵌合凹部、板片１１側に係止爪２４を設けてもよい。また、可撓性シート１２に係止爪２４を設けてもよい。
【００５１】
この場合も、上記実施形態と同様の作用、効果を奏することができる。
【００５２】
【発明の効果】
以上、詳細に説明したように本発明によれば、次のような効果を奏することができる。
【００５３】
（１）  細長い板片を並列に複数枚並べた状態で、各板片と可撓性シートとを固定手段で互いに固定することで、シャッターと同じ機能を持たせることができる。
【００５４】
（２）  可撓性シートで複数の板片を支持して扉を構成しているので、この可撓性シートの柔らかさを調整することで、扉に要求される可撓性を確保することができる。
【００５５】
（３）  板片と可撓性シートとを固定手段で互いに固定することで可撓性を有する扉を成形できるため、可撓性を有する扉の成形が容易になる。さらに、金型が不要になり、製造コストも低減することができる。
【００５６】
（４）  上記可撓性シートを扉全体を覆う広さに成形したので、各板片をその全面から支持することができ、十分な可撓性を持たせた上で、十分な強度を持たせることができる。
【００５７】
（５）  可撓性シートを、並列に複数枚並べられた板片の少なくとも両端部を個別に覆うように帯状に成形することで、可撓性を有する扉を構成することができる。さらに、帯状の可撓性シートの幅や本数を適宜設定することで、要求される可撓性及び強度を容易に実現することができる。
【００５８】
（６）  板片を肉厚の短冊状部材によって構成することで、十分な可撓性を備えた肉厚の扉を構成することができる。肉厚や材料を適宜選択することで、用途に応じた最適の扉を構成することができる。
【００５９】
（７）  固定手段は、板片及び可撓性シート側に形成されてそれらを固定する固定部と、当該固定部の反対側に設けられて相手側のレール溝に摺動可能に嵌合する摺動部とから構成したので、固定手段で板片と可撓性シートとを支持して、扉をスムーズにスライドさせることができる。
【００６０】
（８）  固定手段の摺動部を楕円状に形成したので、扉をスムーズにスライドさせることができる。
【００６１】
（９）  固定部を、板片の嵌合溝と可撓性シートのスリットとが互いに整合した状態でこれらに嵌合して板片を可撓性シートに位置決めする位置決め板と、当該位置決め板が上記嵌合溝及びスリットに嵌合した状態で上記可撓性シート及び板片を両側から挟み持つ２枚の挟持板と、当該挟持板の一方又は両方に設けられ上記板片又は可撓性シートの一方又は両方側の被嵌合部に嵌合する嵌合部とから構成したので、嵌合部が板片又は可撓性シートの被嵌合部に嵌合して、板片と可撓性シートとを互いにずれないように確実に支持することができる。
【図面の簡単な説明】
【図１】本発明の実施形態に係る可撓性を有する扉を示す斜視図である。
【図２】本発明の実施形態に係るホームロッカーを示す斜視図である。
【図３】本発明の実施形態に係るホームロッカーを示す分解斜視図である。
【図４】本発明の実施形態に係る固定手段を示す斜視図である。
【図５】本発明の実施形態に係る固定手段を示す正面図である。
【図６】本発明の実施形態に係る固定手段を示す側面図である。
【図７】本発明の実施形態に係る固定手段を示す背面図である。
【図８】本発明の実施形態に係る固定手段を示す底面図である。
【図９】本発明の実施形態に係る固定手段を示す平面図である。
【図１０】本発明の実施形態に係る固定手段を示す側面断面図である。
【図１１】本発明の実施形態に係る固定手段を示す正面断面図である。
【図１２】本発明の実施形態に係る固定手段を他の位置で示す側面断面図である。
【符号の説明】
１：ホームロッカー、２：底板、２Ａ：枠部、２Ｂ：板片、２Ｃ：レール溝、２Ｄ：嵌合穴、３：両側板、３Ａ：枠部、３Ｂ：板片、３Ｃ，３Ｄ：位置決め用突起、４：背面板、４Ａ：枠部、４Ｂ：板片、４Ｃ，４Ｄ：位置決め用突起、５：天板、５Ａ：枠部、５Ｂ：傾斜板、、６：可撓性を有する扉、８：ねじ、１１：板片、１２：可撓性シート、１３：固定手段、１５：嵌合溝、１６：スリット、１７：シート側嵌合穴、１８：固定部、１９：摺動部、２１：位置決め板、２２，２３：挟持板、２４：係止爪、２５：水平底板、２６：切り欠き、２７：取っ手、２８：水抜き穴。
【図１】
2005016131.tif 000003
【図２】
2005016131.tif 000004
【図３】
2005016131.tif 000005
【図４】
2005016131.tif 000006
【図５】
2005016131.tif 000007
【図６】
2005016131.tif 000008
【図７】
2005016131.tif 000009
【図８】
2005016131.tif 000010
【図９】
2005016131.tif 000011
【図１０】
2005016131.tif 000012
【図１１】
2005016131.tif 000013
【図１２】
2005016131.tif 000014